(57)【要約】【課題】ブラシ片が被洗浄面上の洗浄水を堰き止めると共に、堰き止められた洗浄水を積極的に吸収し、被洗浄面に付着している汚れにたいして、界面張力を低下させ、汚れとの接触面積を大きくすることにより、被洗浄面に均一に密着して的確に汚れを除去し、高い洗浄性能を発揮する洗車機用洗浄ブラシ、及びその洗車機用洗浄ブラシを搭載した洗車機を提供する。【解決手段】洗車機用洗浄ブラシ１は、ブラシ片２と軸体３を有し、前記ブラシ片２は前記軸体３の外周部に形成されてあると共に、上部ブラシ部材４と下部ブラシ部材５を有し、前記上部ブラシ部材４は前記下部ブラシ部材５の被洗浄面側で且つ前記下部ブラシ部材５の端面１６よりも前記軸体３側に接合されてあり、前記下部ブラシ部材５は前記上部ブラシ部材４の接合側端面１７の近傍に通水手段が形成されてあるものである。【選択図】      図１
2008087721.tif 000002
【特許請求の範囲】
【請求項１】
自動車あるいは車両の外面の被洗浄面に付着した汚れ等を洗浄する為の洗車機に使用する洗車機用洗浄ブラシにおいて、前記洗車機用洗浄ブラシは、ブラシ片と軸体を有し、前記ブラシ片は前記軸体の外周部に形成されてあると共に、上部ブラシ部材と下部ブラシ部材を有し、前記上部ブラシ部材は前記下部ブラシ部材の被洗浄面側で且つ前記下部ブラシ部材の端面よりも前記軸体側に接合されてあり、前記下部ブラシ部材は前記上部ブラシ部材の接合側端面の近傍に通水手段が形成されてあることを特徴とする洗車機用洗浄ブラシ。
【請求項２】
請求項１記載の構成よりなる洗車機用洗浄ブラシにおいて、前記通水手段として穴、メッシュ部、連続気泡、多数の細孔、穴スリットの少なくともいずれか一つが形成されてあることを特徴とする洗車機用洗浄ブラシ。
【請求項３】
請求項１から２記載の構成よりなる洗車機用洗浄ブラシにおいて、前記上部ブラシ部材に穴、メッシュ部、連続気泡、多数の細孔、穴スリットの少なくともいずれか一つが形成されてあることを特徴とする洗車機用洗浄ブラシ。
【請求項４】
請求項１から３記載の構成よりなる洗車機用洗浄ブラシにおいて、前記上部ブラシ部材の被洗浄面側に凹凸部が形成されてあることを特徴とする洗車機用洗浄ブラシ。
【請求項５】
駆動源と、被洗浄面に散布する洗浄剤及び洗浄水を噴出させるノズルと、洗浄後の被洗浄面を乾燥させる乾燥手段を備えると共に、請求項１から４のいずれか１項に記載の洗車機用洗浄ブラシを搭載した洗車機。
【発明の詳細な説明】
【技術分野】
【０００１】
本発明は、自動車あるいは車両の外面の被洗浄面に付着した汚れ等を洗浄する為の洗車機に使用する洗車機用洗浄ブラシ、及びその洗車機用洗浄ブラシを搭載した洗車機に関するものである。
【背景技術】
【０００２】
自動車あるいは車両の外面の被洗浄面に付着した汚れ等を洗浄する為の洗車機に使用する洗浄ブラシ、及びその洗浄ブラシを搭載した洗車機に関しては、使用目的に応じて、さまざまな改良がなされ、例えば、布帛の中心を貫通する形で回転軸が挿入された複数枚のブラシ用布帛が積層されてなる洗車用ブラシにおいて、該ブラシ用布帛が通水可能な貫通孔を複数個有することを特徴とする洗車用ブラシが、特開２００４−１２３０９１号公報に開示されてある。
【０００３】
また、回転体の外周に多数のブラシ片を固定した洗車用ブラシにおいて、前記ブラシ片が、回転体に固定される取付基部から中間部まで延在する発泡合成樹脂片と、発泡合成樹脂片の延在端に接合されて先端部まで延在する不織布片とを有してなることを特徴とする洗車用ブラシが、特開２００６−６２４８４号公報に開示されてある。
【０００４】
【特許文献１】特開２００４−１２３０９１号公報
【特許文献２】特開２００６−６２４８４号公報
【発明の開示】
【発明が解決しようとする課題】
【０００５】
従来の洗車機用洗浄ブラシ、及びその洗浄ブラシを搭載した洗車機は、例えば、上記の如くの特徴を有する技術が開示されてあるが、洗車機用洗浄ブラシを搭載した洗車機は、一般的に、洗車機に備えられたノズルから洗浄水、洗浄剤等が被洗浄面にたいして噴出される。そして、洗車機用洗浄ブラシが被洗浄面を洗浄する。その際、洗車機用洗浄ブラシのブラシ片が被洗浄面に当接すると共に、洗浄水を吸収し、被洗浄面に付着している汚れにたいして、界面張力を低下させ、汚れを除去する。界面張力とは、固体と液体が接している境界面において、接触面積を小さくする方向に働く張力のことをいう。従って、界面張力が低下するということは、固体と液体の接触面積が大きくなることであり、固体である汚れと、ブラシ片に吸収された液体である洗浄水との接触面積が大きくなる。その為、洗浄水を積極的に吸収するブラシ片は、汚れにたいする接触面積が大きくなり、被洗浄面に均一に密着することができるので、汚れを除去しやすくなり、洗浄性能が向上することになる。
【０００６】
しかしながら、特開２００４−１２３０９１号公報に開示されてある技術においては、ブラシ用布帛は通水可能な貫通孔を複数個有しているものの、洗車用ブラシのブラシ片は布帛のみで形成されており、被洗浄面上の洗浄水は貫通孔を通過する為、洗浄水を堰き止める機能は無く、貫通孔により、ブラシ用布帛が洗浄水を吸収する機能は無かった。また、貫通孔は洗車中にブラシ用布帛の表面に付着した洗浄水を、洗車用ブラシの回転中に、排水する手段として作用しており、ブラシ用布帛の外部に排出された洗浄水は洗浄に寄与することができない。その為、ブラシ用布帛は被洗浄面に付着している汚れにたいして界面張力を低下させることができず、被洗浄面に均一に密着することはできないので、洗い残しが発生し、洗浄性能を向上させることはできないという課題を有していた。
【０００７】
また、特開２００６−６２４８４号公報に開示されてある技術においては、ブラシ片は洗浄側の不織布片と、回転体の取付基部側の発泡合成樹脂片が接合されて形成されてあるので、不織布片の接合側の端面において被洗浄面上の洗浄水を堰き止めることはできる。さらに、弾力性に優れた発泡合成樹脂片により毛腰を強く設定し、柔軟な不織布片を被洗浄面に当接させることもできる。しかしながら、ブラシ片は、不織布片の接合側の端面において堰き止めた洗浄水を吸収する為の手段を有していないので、堰き止められた洗浄水は、端面により被洗浄面上を移動してしまう為、ブラシ片は、堰き止められた洗浄水を吸水することはできず、洗浄性能を向上させることは難しいという課題を有していた。
【０００８】
本発明は、上記従来の課題を解決するもので、ブラシ片が被洗浄面上の洗浄水を堰き止めると共に、堰き止められた洗浄水を積極的に吸収し、被洗浄面に付着している汚れにたいして、界面張力を低下させ、汚れとの接触面積を大きくすることにより、被洗浄面に均一に密着して的確に汚れを除去し、高い洗浄性能を発揮する洗車機用洗浄ブラシ、及びその洗車機用洗浄ブラシを搭載した洗車機を提供することを目的としている。
【課題を解決するための手段】
【０００９】
前記従来の課題を解決する為に、本発明の洗車機用洗浄ブラシは、自動車あるいは車両の外面の被洗浄面に付着した汚れ等を洗浄する為の洗車機に使用する洗車機用洗浄ブラシにおいて、前記洗車機用洗浄ブラシは、ブラシ片と軸体を有し、前記ブラシ片は前記軸体の外周部に形成されてあると共に、上部ブラシ部材と下部ブラシ部材を有し、前記上部ブラシ部材は前記下部ブラシ部材の被洗浄面側で且つ前記下部ブラシ部材の端面よりも前記軸体側に接合されてあり、前記下部ブラシ部材は前記上部ブラシ部材の接合側端面の近傍に通水手段が形成されてあるもので、ブラシ片が被洗浄面に当接すると、上部ブラシ部材の接合側の端面が、被洗浄面上の洗浄水を堰き止め、堰き止められた洗浄水は、下部ブラシ部材に形成された通水手段を介して、上部ブラシ部材の表面に運ばれることにより、上部ブラシ部材は、洗浄水を被洗浄面との当接面の裏面に、一時的に所定の時間、保持できる。保持された洗浄水は、洗車機用洗浄ブラシの回転に伴い、ブラシ片から流されて被洗浄面に移動する。そして、隣接するブラシ片が被洗浄面に当接すると、隣接するブラシ片を構成する上部ブラシ部材は、前のブラシ片から被洗浄面に流された洗浄水と接触するので、被洗浄面に付着している汚れにたいして、上部ブラシ部材と被洗浄面上との界面張力を低下させ、汚れとの接触面積が大きくなる。その為、雑巾、タオル、洗車スポンジ等で拭き取るようにして手洗い洗車をするが如く、ブラシ片は被洗浄面に均一に密着して的確に汚れを除去するので、高い洗浄性能が発揮される。
【００１０】
また、本発明の洗車機は、駆動源と、被洗浄面に散布する洗浄剤及び洗浄水を噴出させるノズルと、洗浄後の被洗浄面を乾燥させる乾燥手段を備えると共に、請求項１から４のいずれか１項に記載の洗車機用洗浄ブラシを搭載したもので、被洗浄面に付着している汚れを的確に除去する高い洗浄性能を有する洗車機用洗浄ブラシが搭載されてある為、洗車機は、駆動源により洗車機用洗浄ブラシの回転を低速に設定すると共に、洗浄時間を短時間に設定した場合においても、洗い残しの無い高い洗浄性能が発揮される。
【発明の効果】
【００１１】
本発明の洗車機用洗浄ブラシは、ブラシ片が被洗浄面に当接すると、上部ブラシ部材の接合側の端面が、被洗浄面上の洗浄水を堰き止め、下部ブラシ部材に形成された通水手段を介して、洗浄水は上部ブラシ部材の被洗浄面との当接面の裏面に運ばれ、一時的に保持されると共に、洗車機用洗浄ブラシの回転に伴い、ブラシ片から流されて被洗浄面に移動する。そして、隣接するブラシ片が被洗浄面に当接すると、隣接するブラシ片を構成する上部ブラシ部材は、前のブラシ片から被洗浄面に流された洗浄水と接触するので、被洗浄面に付着している汚れにたいして、界面張力を低下させ、汚れとの接触面積が大きくなる。その為、雑巾、タオル、洗車スポンジ等で拭き取るようにして手洗い洗車をするが如く、ブラシ片は被洗浄面に均一に密着して的確に汚れを除去するので、高い洗浄性能を発揮することができる。
【００１２】
また、本発明の洗車機は、被洗浄面に付着している汚れを的確に除去する高い洗浄性能を有する洗車機用洗浄ブラシが搭載されてある為、洗車機は、駆動源により洗車機用洗浄ブラシの回転を低速に設定すると共に、洗浄時間を短時間に設定した場合においても、洗い残しの無い高い洗浄性能を発揮することができる。
【発明を実施するための最良の形態】
【００１３】
第１の発明は、自動車あるいは車両の外面の被洗浄面に付着した汚れ等を洗浄する為の洗車機に使用する洗車機用洗浄ブラシにおいて、前記洗車機用洗浄ブラシは、ブラシ片と軸体を有し、前記ブラシ片は前記軸体の外周部に形成されてあると共に、上部ブラシ部材と下部ブラシ部材を有し、前記上部ブラシ部材は前記下部ブラシ部材の被洗浄面側で且つ前記下部ブラシ部材の端面よりも前記軸体側に接合されてあり、前記下部ブラシ部材は前記上部ブラシ部材の接合側端面の近傍に通水手段が形成されてあるもので、ブラシ片が被洗浄面に当接すると、上部ブラシ部材の接合側の端面が、被洗浄面上の洗浄水を堰き止め、下部ブラシ部材に形成された通水手段を介して、上部ブラシ部材の表面に運ばれることにより、上部ブラシ部材は、洗浄水を被洗浄面との当接面の裏面に、一時的に所定の時間、保持できる。保持された洗浄水は、洗車機用洗浄ブラシの回転に伴い、ブラシ片から流されて被洗浄面に移動する。そして、隣接するブラシ片が被洗浄面に当接すると、隣接するブラシ片を構成する上部ブラシ部材は、前のブラシ片から被洗浄面に流された洗浄水と接触するので、被洗浄面に付着している汚れにたいして、界面張力を低下させ、汚れとの接触面積が大きくなる。その為、雑巾、タオル、洗車スポンジ等で拭き取るようにして手洗い洗車をするが如く、ブラシ片は被洗浄面に均一に密着して的確に汚れを除去するので、高い洗浄性能を発揮することができる。
【００１４】
第２の発明は、特に、第１の発明の洗車機用洗浄ブラシにおいて、前記通水手段として穴、メッシュ部、連続気泡、多数の細孔、穴スリットの少なくともいずれか一つが形成されてあるもので、穴、メッシュ部、連続気泡、多数の細孔、穴スリットを介して、ブラシ片は被洗浄面から積極的に洗浄水を吸収することができる。
【００１５】
第３の発明は、特に、第１から第２の発明の洗車機用洗浄ブラシにおいて、前記上部ブラシ部材に穴、メッシュ部、連続気泡、多数の細孔、穴スリットの少なくともいずれか一つが形成されてあるもので、上部ブラシ部材は、下部ブラシ部材に形成された通水手段を介して、上部ブラシ部材の表面に運ばれた洗浄水を、穴、メッシュ部、連続気泡、多数の細孔、穴スリットを介して通過させた後、被洗浄面側の当接面に移動させる。その為、被洗浄面に付着している汚れにたいして、界面張力を容易に低下させることができるので、洗浄性能が大幅に向上する。
【００１６】
第４の発明は、特に、第１から第３の発明の洗車機用洗浄ブラシにおいて、前記上部ブラシ部材の被洗浄面側に凹凸部が形成されてあるもので、上部ブラシ部材は、被洗浄面に付着している汚れにたいして、界面張力を低下させながら均一に密着すると共に、被洗浄面側に形成された凹凸部が、被洗浄面に強固に付着している汚れも、凹凸部の有する角部により掻き取るように除去する。その為、洗浄性能が飛躍的に向上する。
【００１７】
第５の発明は、駆動源と、被洗浄面に散布する洗浄剤及び洗浄水を噴出させるノズルと、洗浄後の被洗浄面を乾燥させる乾燥手段を備えると共に、第１の発明から第４の発明のいずれか１項に記載の洗車機用洗浄ブラシを搭載した洗車機としたもので、被洗浄面に付着している汚れを的確に除去する高い洗浄性能を有する洗車機用洗浄ブラシが搭載されてある為、洗車機は、駆動源により洗車機用洗浄ブラシの回転を低速に設定すると共に、洗浄時間を短時間に設定した場合においても、洗い残しの無い高い洗浄性能を発揮することができる。
【００１８】
以下、本発明の実施の形態について図面を参照しながら説明する。なお、この実施の形態により本発明が限定されるものではない。
【００１９】
（実施例１）
図１（ａ）は、本発明の洗車機用洗浄ブラシを前面側から見た斜視図、図１（ｂ）は、図１（ａ）の断面図、図２は、本発明の洗車機用洗浄ブラシの洗車時の使用状態を示す部分断面図、図３（ａ）から（ｄ）は、他の実施の形態におけるブラシ片を前面側から見た斜視図、図５は本発明の洗車機用洗浄ブラシが搭載されてある洗車機の正面図である。
【００２０】
図１（ａ）、及び図１（ｂ）において、洗車機用洗浄ブラシ１は、ブラシ片２が、アルミニウム等の金属材料からなる略円筒形状の軸体３の外周等分４箇所に設けられた突起状の溝部９に概Ｖ字断面を有するように挿入され、リベット１０にて固定して形成されてある。一片のブラシ片２は、洗浄側近傍に位置する２枚の上部ブラシ部材４が、軸体３側に位置する１枚の下部ブラシ部材５の外側面１５で且つ端面１６よりも軸体３側にて、縫製により接合された接合部６を介して一体化されると共に、概Ｖ字断面を有するよう長手方向の略中央部にて折り合わされて形成されてある。また、上部ブラシ部材４の表面には裏面にまで貫通した多数の細孔８、下部ブラシ部材５には上部ブラシ部材４の接合側端面１７の近傍に表面から裏面にまで貫通した複数の穴７が設けられている。なお、ブラシ片２は、概Ｖ字断面以外にも、概Ｍ字断面等を有するよう折り合わせても構わない。また、軸体３の外周面に設けられた溝部９は、等分４箇所以外にも、６箇所、８箇所、１２箇所等、使用目的に応じて、適時、設定できる。
【００２１】
洗車機用洗浄ブラシ１は、下記の手順にて製作される。
【００２２】
最初に、ブラシ片２を次の手順にて製作する。一片のブラシ片２は、平板状の上部ブラシ部材４の一方の端面１７にたいして、平板状の下部ブラシ部材５の一方の端面１６を重ね合わせると共に、下部ブラシ部材５の他方の端面１６にたいして、他の上部ブラシ部材４の一方の端面１７が重ね合わされ、縫製による接合部６を介して一体化される。また、下部ブラシ部材５の長手方向の略中央部には、トムソン型等により形成された取付孔（図示せず）が設けられている。次に、上部ブラシ部材４の接合部６側の端面１７が外方となるように、概長板形状に形成されたブラシ片２の長手方向の略中央部にて二つ折りする。そして、概Ｖ字断面を有するよう形成されたブラシ片２は、軸体３の溝部９に挿入され、前記取付孔にリベット１０が挿入されると共に、リベッター等でリベット１０を打ち付け、軸体３にブラシ片２が固定されて洗車機用洗浄ブラシ１が形成される。なお、接合部６の形成方法は、前記縫製以外にも、ネジ止め、リベット止め、面ファスナー、編み込み等の物理的接合方法、接着、溶着、融着等の化学的接合方法を用いても構わない。
【００２３】
上部ブラシ部材４、及び下部ブラシ部材５の材質としては、平板状の不織布、織布、編物等の布帛、合成樹脂発泡体、フィルム状樹脂組成物、熱可塑性エラストマーシート、合成ゴムシート、合成樹脂シート等が採用される。
【００２４】
また、上部ブラシ部材４の表面に形成された多数の細孔８は、予めトムソン型、ニードルパンチング機等により形成しておく。下部ブラシ部材５の表面に形成された複数の穴７についても、予めトムソン型等を用い、打ち抜いて形成しておく。
【００２５】
次に、図２、及び図５を用いて、洗車機用洗浄ブラシ１の動作、作用について説明する。
【００２６】
洗車機用洗浄ブラシ１は、洗車機８１に取り付けられ、駆動源８２により矢印Ａの方向に回転しながら、被洗浄面である車体１１に当接している。洗車機８１に設けられた複数のノズル８３からは洗浄水１３が車体１１にたいして噴出され、車体１１の表面には汚れ１２が付着している。なお、汚れ１２は、土砂や埃等の砂塵、煤煙、排気ガスの残渣、舗道から転移するアスファルトやピッチ、ワックスやシリコーン等を主成分とする水垢汚れ、鉄道線路から転移する鉄粉等が混在しているものである。
【００２７】
洗車機用洗浄ブラシ１は、矢印Ａの方向に回転しながら、車体１１に当接すると、ブラシ片２を構成する上部ブラシ部材４の接合部６側の端面１７が、洗浄水１３を堰き止める。堰き止められた洗浄水１３は、下部ブラシ部材５の接合部６近傍の表面に設けられた穴７が通水手段として作用し、穴７を介して矢印の如く、下部ブラシ部材５の裏面にまで通水して浮き出てくる。さらに、下部ブラシ部材５の裏面に浮き出た洗浄水１３は、矢印の如く、車体１１に当接している上部ブラシ部材４に設けられた細孔８を介して、上部ブラシ部材４に吸水された後、車体１１上に移動する。
【００２８】
上記に示したように、洗車機用洗浄ブラシ１は、ブラシ片２が上部ブラシ部材４の端面１７により堰き止められた洗浄水１３を積極的に吸水するので、ブラシ片２は車体１１に当接する際、車体１１に付着している汚れ１２にたいして、界面張力を低下させ、汚れ１２との接触面積を大きくすることができる。その為、雑巾、タオル、洗車スポンジ等で拭くように手洗い洗車をするが如く、ブラシ片２を構成する上部ブラシ部材４は、車体１１に均一に密着して的確に汚れ１２を除去するので、洗浄性能が向上する。
【００２９】
なお、汚れ１２の内、土砂、アスファルト等の大粒な汚れ１２は、穴７を通過後、上部ブラシ部材４の裏面上を移動して、洗車機用洗浄ブラシ１の外部に排出される。また、汚れ１２の内、水垢汚れ等の車体１１にこびり付いた汚れ１２は、細孔８から車体１１上に移動した洗浄水１３により、接触面積を大きくして掻き出される。
【００３０】
また、穴７を介して上部ブラシ部材４の裏面に移動した洗浄水１３の一部は、上部ブラシ部材が車体１１から離れた時に、車体１１に流れ落ちる。その為、隣接する上部ブラシ部材４が車体１１に当接した時には、既に車体１１には洗浄水１３が有るので、拭き取り効果が向上し、高い洗浄性能が発揮される。
【００３１】
なお、車体１１に当接する上部ブラシ部材４の軸体３の軸心と垂直な方向における長さは、ブラシ片２が折り合わされた部分からの下部ブラシ部材５の長さと同等、乃至３倍程度に設定されるのが望ましい。軸体３の軸心と垂直な方向における上部ブラシ部材４の長さが、ブラシ片２が折り合わされた部分からの下部ブラシ部材５の長さより短いと作用半径が小さくなり、効率的に汚れ１２を除去することが難しくなり、３倍より大の場合においては、吸水によりブラシ片２の重量が重くなり、洗車機８１の駆動源８２にたいする負荷が増大し、洗車機用洗浄ブラシ１の回転が不安定となる。
【００３２】
また、図３に示す他の実施の形態におけるブラシ片２２、３２、４２、５２を用いても、洗車機用洗浄ブラシ１は、前記と同様の作用を得ることができる。
【００３３】
図３（ａ）において、ブラシ片２２は、メッシュ部２３を有する２枚の上部ブラシ部材２４と、無数の連続気泡２１を有する１枚の下部ブラシ部材２５が、溶着による接合部２６を介して、概Ｖ字断面を有するよう形成されてある。連続気泡２１が通水手段として作用し、メッシュ部２３を介して上部ブラシ部材２４は積極的に吸水し、車体１１に当接する。
【００３４】
なお、メッシュ部２３は、予めトムソン型等を用い、打ち抜いて形成しておいてもよいし、網目状に形成された平織等の織布、ニット編等の編物を採用してもよい。また、連続気泡２１は、合成樹脂を発泡させた連続気泡発泡体を採用することにより得られる。連続気泡２１は、気泡が完全に気泡壁に囲まれておらず、隣接する気泡と連通しているもののことをいう。従って、隣接気泡間の気泡壁の一部が欠けている為、洗浄水１３等の液体の流通が可能であり、通水手段として作用するのである。
【００３５】
図３（ｂ）において、ブラシ片３２は、無数の連続気泡３１を有する２枚の上部ブラシ部材３４と、貫通した多数の細孔３８を接合部３６側に有する１枚の下部ブラシ部材３５が、縫製による接合部３６を介して、概Ｖ字断面を有するよう形成されてある。細孔３８が通水手段として作用し、連続気泡３１を介して上部ブラシ部材３４は積極的に吸水し、車体１１に当接する。
【００３６】
なお、連続気泡３１は、合成樹脂を発泡させた連続気泡発泡体を採用することにより得られる。また、細孔３８は、予めトムソン型、ニードルパンチング機等により形成しておく。
【００３７】
図３（ｃ）において、ブラシ片４２は、貫通した複数の穴スリット４９を有する２枚の上部ブラシ部材４４と、貫通した複数の穴スリット４９を接合部４６側に有する１枚の下部ブラシ部材４５が、縫製による接合部４６を介して、概Ｖ字断面を有するよう形成されてある。下部ブラシ部材４５に形成された穴スリット４９が通水手段として作用し、上部ブラシ部材４４は表面に形成された穴スリット４９を介して積極的に吸水し、車体１１に当接する。
【００３８】
なお、穴スリット４９は、予めトムソン型、カッター等を用いて形成しておく。
【００３９】
図３（ｄ）において、ブラシ片５２は、貫通した複数の穴５７を有する２枚の上部ブラシ部材５４と、メッシュ部５３を接合部５６側に有する１枚の下部ブラシ部材５５が、縫製による接合部５６を介して、概Ｖ字断面を有するよう形成されてある。メッシュ部５３が通水手段として作用し、穴５７を介して上部ブラシ部材５４は積極的に吸水し、車体１１に当接する。
【００４０】
なお、穴５７、及びメッシュ部５３は、予めトムソン型等を用い、打ち抜いて形成しておく。
【００４１】
また、平板状の不織布、織布、編物等、通水可能なものであるならば、上部ブラシ部材４、２４、３４、４４、５４、及び下部ブラシ部材５、２５、３５、４５、５５の通水手段として採用できる。
【００４２】
（実施例２）
図４（ａ）は、実施例２のブラシ片を前面側から見た斜視図、図４（ｂ）は、実施例２の洗車機用洗浄ブラシの洗車時の使用状態を示す部分断面図である。
【００４３】
図４（ａ）において、ブラシ片６２は、貫通した多数の細孔６８を有する２枚の上部ブラシ部材６４と、貫通した複数の穴６７を接合部６６側に有する１枚の下部ブラシ部材６５が、縫製による接合部６６を介して、概Ｖ字断面を有するよう形成されてある。また、上部ブラシ部材６４の被洗浄面側には、複数の凹部７４が形成されてあると共に、凹部７４が形成されることにより、必然的に形成される凸部７５が設けられている。
【００４４】
上部ブラシ部材６４の表面に形成された多数の細孔６８は、予めトムソン型、ニードルパンチング機等により形成しておく。下部ブラシ部材６５の表面に形成された複数の穴６７についても、予めトムソン型等を用い、打ち抜いて形成しておく。また、上部ブラシ部材６４の被洗浄面側に形成されてある凹部７４、及び凸部７５は、エンボスロール等により加熱、加圧することにより形成される。
【００４５】
次に、図４（ｂ）を用いて、洗車機用洗浄ブラシ６１の動作、作用について説明する。
【００４６】
洗車機用洗浄ブラシ６１は、ブラシ片６２が、アルミニウム等の金属材料からなる略円筒形状の軸体６３の外周に設けられた突起状の溝部６９に概Ｖ字断面を有するように挿入され、リベット７０にて固定して形成されてある。なお、特に図示しないが、軸体６３の外周に設けられた溝部６９は、円周等分４箇所に設けられている。そして、洗車機用洗浄ブラシ６１は、洗車機に取り付けられ、駆動源により矢印Ｂの方向に回転しながら、被洗浄面である車体７１に当接している。洗車機に設けられた複数のノズルからは洗浄水７３が車体７１にたいして噴出され、車体７１の表面には汚れ７２が付着している。なお、汚れ７２は、土砂や埃等の砂塵、煤煙、排気ガスの残渣、舗道から転移するアスファルトやピッチ、ワックスやシリコーン等を主成分とする水垢汚れ、鉄道線路から転移する鉄粉等が混在しているものである。
【００４７】
洗車機用洗浄ブラシ６１は、矢印Ｂの方向に回転しながら、車体７１に当接すると、ブラシ片６２を構成する上部ブラシ部材６４の接合部６６側の端面７７が、洗浄水７３を堰き止める。堰き止められた洗浄水７３は、下部ブラシ部材６５の接合部６６近傍の表面に設けられた穴６７が通水手段として作用し、穴６７を介して矢印の如く、下部ブラシ部材６５の裏面にまで通水して浮き出てくる。さらに、下部ブラシ部材６５の裏面に浮き出た洗浄水７３は、矢印の如く、車体７１に当接している上部ブラシ部材６４に設けられた細孔６８を介して、上部ブラシ部材６４に吸水される。
【００４８】
上記に示したように、洗車機用洗浄ブラシ６１は、ブラシ片６２が上部ブラシ部材６４の端面７７により堰き止められた洗浄水７３を積極的に吸水するので、ブラシ片６２は車体７１に当接する際、車体７１に付着している汚れ７２にたいして、界面張力を低下させ、汚れ７２との接触面積を大きくすることができる。その為、雑巾、タオル、洗車スポンジ等で手洗い洗車をするが如く、ブラシ片６２を構成する上部ブラシ部材６４は、車体７１に均一に密着して的確に汚れ７２を除去すると共に、上部ブラシ部材６４の被洗浄面側に設けられた凹部７４と凸部７５の間に形成された角部７６が、汚れ７２を掻き取るように除去する。特に、汚れ７２の成分の内、車体７１に強固に付着しているピッチ、水垢汚れ、鉄粉等を、角部７６により効率よく確実に除去することができるので、洗浄性能が飛躍的に向上する。
【００４９】
（実施例３）
図５は、本発明の洗車機用洗浄ブラシ１が搭載されてある洗車機の正面図である。
【００５０】
図５において、洗車機８１は、本発明の洗車機用洗浄ブラシ１が搭載されてあり、洗車機用洗浄ブラシ１は駆動源８２により回転駆動される。ノズル８３からは、被洗浄面である車体にたいして、洗浄剤、及び洗浄水等が散布され、洗車機用洗浄ブラシ１により、車体に付着している汚れが除去され、洗浄後は洗車機８１の乾燥手段である乾燥機８４により車体が乾燥される。
【００５１】
洗車機８１は、車体に付着している汚れを的確に除去する高い洗浄性能を有する洗車機用洗浄ブラシ１が搭載されてある為、駆動源８２により洗車機用洗浄ブラシ１の回転を低速に設定すると共に、洗浄時間を短時間に設定した場合においても、洗い残しの無い高い洗浄性能を発揮することができる。
【産業上の利用可能性】
【００５２】
本発明の洗車機用洗浄ブラシは、主に、自動車あるいは車両の外面の被洗浄面に付着した汚れ等を洗浄する為の洗車機に搭載する洗車機用洗浄ブラシとして使用する。
【図面の簡単な説明】
【００５３】
【図１】（ａ）本発明の洗車機用洗浄ブラシを前面側から見た斜視図、（ｂ）図１（ａ）の断面図
【図２】本発明の洗車機用洗浄ブラシの洗車時の使用状態を示す部分断面図
【図３】（ａ）他の実施の形態におけるブラシ片を前面側から見た斜視図、（ｂ）他の実施の形態におけるブラシ片を前面側から見た斜視図、（ｃ）他の実施の形態におけるブラシ片を前面側から見た斜視図、（ｄ）他の実施の形態におけるブラシ片を前面側から見た斜視図
【図４】（ａ）実施例２のブラシ片を前面側から見た斜視図、（ｂ）実施例２の洗車機用洗浄ブラシの洗車時の使用状態を示す部分断面図
【図５】本発明の洗車機用洗浄ブラシが搭載されてある洗車機の正面図
【符号の説明】
【００５４】
１、６１  洗車機用洗浄ブラシ
２、２２、３２、４２、５２、６２  ブラシ片
３、６３  軸体
４、２４、３４、４４、５４、６４  上部ブラシ部材
５、２５、３５、４５、５５、６５  下部ブラシ部材
６、２６、３６、４６、５６、６６  接合部
７、５７、６７  穴
８、３８、６８  細孔
９、６９  溝部
１０、７０  リベット
１１、７１  車体
１２、７２  汚れ
１３、７３  洗浄水
１５  外側面
１６、１７、７７  端面
２１、３１  連続気泡
２３、５３  メッシュ部
４９  穴スリット
７４  凹部
７５  凸部
７６  角部
８１  洗車機
８２  駆動源
８３  ノズル
８４  乾燥機
【図１】
2008087721.tif 000003
【図２】
2008087721.tif 000004
【図３】
2008087721.tif 000005
【図４】
2008087721.tif 000006
【図５】
2008087721.tif 000007